(57)【要約】      （修正有）【課題】体積が大きく、空間を多く占有する欠点を解決する折り畳み式フィットネスマシンを提供する。【解決手段】一種の折り畳み式フィットネスマシンにおいて、ベース１３５、フレーム１３３と回転フレーム１０５を含み、ベース１３５は縦方向に互いに枢接される頭部１２９と後部１３１とに分けられ、フレーム１３３はフレームの遠端と近端に設置される伸縮ロッドを備え、横ロッド１０１は伸縮ロッド間に接続され、フレーム１３３は回転可能にベース１３５に接続され、回転フレーム１０５は一つ或いは複数のサイドロッド１２５と一つのハンドルロッド１１１を有し、サイドロッド１２５はハンドル端とロッド端部を備え、ハンドルロッド１１１はサイドロッド１２５のハンドル端間に固定され、回転フレーム１０５は回転自在の伸縮ロッド間に接続される。【選択図】図１
0003196374.tif 000002
【実用新案登録請求の範囲】
【請求項１】
折り畳み式フィットネスマシンにおいて、
ベースであって、縦向きの頭部と後部が設けられ、頭部には頭端があり、後部には後端があり、ベースの頭部と後部は相互に枢接され、ベースが回転折りたたみ構造とされ、後部の後端が頭部の頭端まで回転させられる、上記ベースと、
フレームであって、二つの伸縮ロッドと一つの横ロッドを有し、伸縮ロッドはフレームの遠端と近端に設置され、横ロッドは折りたたみ可能にフレームの伸縮ロッドの端部の間に固定され、フレームは回転可能にベースに接続され、フレームの隣接端と頭部の頭端の回転によりフレームとベースが回転する、上記フレームと
回転フレームであって、二つのサイドロッドと一つのハンドルロッドを有し、サイドロッドはハンドル端とロッド端部を有し、ハンドルロッドが着脱自在にサイドロッドのハンドル端間に固定され、ロッド端部を介して回転フレームが回転可能に伸縮ロッドに付加され、回転フレームが伸縮ロッド間で回転可能とされる、上記回転フレームと、
を含むことを特徴とする、折り畳み式フィットネスマシン。
【請求項２】
請求項１記載の折り畳み式フィットネスマシンにおいて、昇降プルバンドが着脱可能に横ロッドとハンドルロッド間に接続され、回転フレームのフレームに対する回転位置を保持することを特徴とする、折り畳み式フィットネスマシン。
【請求項３】
請求項２記載の折り畳み式フィットネスマシンにおいて、該昇降プルバンドは二つの枢接端を備え、二つの枢接端を介して横ロッドとハンドルロッドに昇降プルバンドが固定されることを特徴とする、折り畳み式フィットネスマシン。
【請求項４】
請求項１記載の折り畳み式フィットネスマシンにおいて、該ベースは頭部前端に位置する支持片を含み、フレームは調整可能に支持片上に枢接されることを特徴とする、折り畳み式フィットネスマシン。
【請求項５】
請求項４記載の折り畳み式フィットネスマシンにおいて、該ベースは頭部と後部の間の結合構造を含み、頭部は一対の前部ロッドを含み、後部は一対の後部ロッドを含み、頭部の前部ロッドと後部の後部ロッドは該結合構造により縦方向に並列しベースを構成することを特徴とする、折り畳み式フィットネスマシン。
【請求項６】
請求項５記載の折り畳み式フィットネスマシンにおいて、該頭部は一つ或いは複数の、一対の前部ロッド間に固定された跨設ロッドを含み、後部は、一つ或いは複数の、一対の後部ロッド間に固定された跨設ロッドを含み、結合構造はそれぞれ頭部と後部に隣接する跨設ロッドに設けられ、二つの跨設ロッドは互いに回転可能であることを特徴とする、折り畳み式フィットネスマシン。
【請求項７】
請求項６記載の折り畳み式フィットネスマシンにおいて、該頭部は頭部の跨設ロッドに固定された前板パッドを含み、後部は後部の跨設ロッドに固定された後板パッドを含み、前板パッドと後板パッドは直線状に延伸された二つの形態を形成することを特徴とする、折り畳み式フィットネスマシン。
【請求項８】
請求項４記載の折り畳み式フィットネスマシンにおいて、各伸縮ロッドはベースロッドと調整可能に縦向きにベースロッドに付加される延伸ロッドを含み、複数の挿入溝が延伸ロッドの伸縮を制限でき、延伸ロッドは延伸制御手段を含んでベースロッドと延伸ロッドを固定し、そのうち一つの挿入溝により延伸ロッドの露出の長さが調節されることを特徴とする、折り畳み式フィットネスマシン。
【請求項９】
請求項８記載の折り畳み式フィットネスマシンにおいて、該ベースロッドは直立する挿入溝を含み、ベースとフレームが展開されるとき、折り畳み制御ピンにより直立する挿入溝と支持片が固定され、ベースとフレームが折り畳まれるとき、折り畳み制御ピンにより直立する挿入溝と支持片の固定が緩められることを特徴とする、折り畳み式フィットネスマシン。
【請求項１０】
請求項１記載の折り畳み式フィットネスマシンにおいて、該横ロッドに一つ或いは複数の掛け孔が設けられ、各一つの掛け孔に弾性延伸に供される弾性バンドが付加され得ることを特徴とする、折り畳み式フィットネスマシン。
【考案の詳細な説明】
【技術分野】
【０００１】
本考案は一種の折り畳み式フィットネスマシンに係り、特にストレッチ用のフィットネスマシンに関する。
【背景技術】
【０００２】
ストレッチ用フィットネスマシンは、通常、直立として必要な位置に回収できるフレームを有し、通常の状況では、ストレッチ用フィットネスマシンは、７インチの長さを超過し得て、大量の保存空間を必要とし、甚だしくは回収時に長さを変えたフィットネスマシンを保存或いは運送する過程中に、体積が大きく、多すぎる空間を占有し得る。
【考案の概要】
【考案が解決しようとする課題】
【０００３】
このため、伝統的なストレッチ用フィットネスマシンは改善する必要がある。
【課題を解決するための手段】
【０００４】
一種の折り畳み式ストレッチ用フィットネスマシンにおいて、ベース、フレームと回転フレームを含み、ベースは縦方向に頭を備えた頭部と後端を備えた後部に分けられ、頭部を後端を以て回転させて頭部の頭端の底下に至らせるとき、頭部は後部上に折り畳まれ、フレームは一つの節或いは複数の節の伸縮ロッドと一つの横ロッドを有し、伸縮ロッドはフレームの両端に拡張増長され、横ロッドは伸縮ロッドの後端に接続され、フレームの後端とベースの頭端を介してフレームが回転可能にベースに連接され、フレームとベースを折り畳んで一つとなすことができ、回転フレームは一つ或いは複数のサイドロッドと一つのグリップバーを有し、サイドロッドはハンドルエンドとロッド端部を有し、グリップロッドはサイドロッドのハンドルエンド間に固定される。サイドロッドのロッド端部を介して、回転フレームは自由に回転して伸縮ロッド間に付加できる。
【考案の効果】
【０００５】
本考案は、従来のストレッチ用フィットネスマシンの、７インチの長さを超過し得て、大量の保存空間を必要とし、甚だしくは回収時に長さを変えたフィットネスマシンを保存或いは運送する過程中に、体積が大きく、多すぎる空間を占有し得るという欠点を解決する。
【０００６】
本考案のその他の長所と特色を詳細に説明し添付の図中に表示し、そのうち、添付の図は理想的な構造の実施を説明するための例である。
【図面の簡単な説明】
【０００７】
【図１】本考案の実施例の立体図である。
【図２】本考案の実施例の立体分解図である。
【図３Ａ】本考案の折り畳みの実施例の立体表示図である。
【図３Ｂ】本考案の折り畳みの実施例の立体表示図である。
【図３Ｃ】本考案の折り畳みの実施例の立体表示図である。
【図３Ｄ】本考案の折り畳みの実施例の立体表示図である。
【考案を実施するための形態】
【０００８】
以下の説明中、複数の具体的な細部、たとえば、外観、組立品、名称、組立品間の連接などは、本考案が完全に理解されるためのものであり、本領域の技術者に対しては、これらの特定の細部の記述がなくとも実施でき、本考案は公知の組立品或いは方法において詳細な記述はなく、不必要な曖昧さが発生するのを防止する。さらに具体的な説明は、第１、第２、第３等の応用実施例を参照されたいが、本考案の制限と解釈されるべきではなく、異なる物品に対する引用とされるべきである。これにより、記述される具体的な細部は僅かに実施例であって、簡単な修飾変化は本考案の構想と範囲の内に含まれるとされるべきである。
【０００９】
説明中、「実施例中」との表現は、特定機能、構造或いは特徴を含み得ることを指し、本考案中、「実施例中」との用語は説明中の各場所で出現するが、必ずしも同様に表現されない。
【００１０】
図１は本考案のある実施例の立体図であり、フィットネスマシン１００は頭部１２９と後部１３１に分けられるベース１３５を含み、ベース１３５は明確に頭部１２９の頭端１５３と後部１３１の後端１５５の間に画定され、頭部１２９と後部１３１は回転して折り畳み可能にベース１３５を構成し、たとえば、後部１３１は後端１５５を以て頭端１５３に向けて旋回させられ、頭部１２９に畳み合わされ、ベース１３５が折り畳まれ、これによりベース１３５の縦方向長さが頭部１２９の長さに減らされる。
【００１１】
実施例中、フィットネスマシン１００はフレーム１３３を含み、該フレーム１３３は回転可能にベース１３５に対して直立或いは折り畳み位置に配置され、フレーム１３３は二つの伸縮ロッドと一つの横ロッド１０１で構成され、伸縮ロッドは平行にフレーム１３３の遠端と近端に設置される。
【００１２】
フレーム１３３はベース１３５上に付加され、フレーム１３３隣接端或いは頭部１２９の端部により回転されてフレーム１３３とベース１３５が折り畳まれるか展開され、たとえば、ベース１３５は支持片１１９を含み、折り畳み制御ピン１１７を介してフレーム１３３の回転を促せ、実施例中、フレーム１３３の伸縮ロッドの後部は一つの直立する挿入ロッドを含み、ベース１３５とフレーム１３３が展開されるとき、直立する挿入ロッドは折り畳み制御ピン１１７と支持片１１９を通して固定支持され、ベース１３５とフレーム１３３が折り畳まれて一体とされるとき、直立する挿入ロッドは折り畳み制御ピン１１７と支持片１１９に釈放される。
【００１３】
フィットネスマシン１００のフレーム１３３とベース１３５が折り畳まれて一体とされるとき、実施例中、伸縮ロッドの縦方向長さを伸縮調整でき、たとえば伸縮ロッドが回収されるとき、折り畳み式フィットネスマシン１００の空間要求を減らすことができ、フレーム１３３の高さ或いは長さを短縮できる。
【００１４】
実施例中、横ロッド１０１は着脱可能にフレーム１３３の伸縮ロッドの端部の間に固定され、横ロッド１０１は一つ或いは複数の掛け孔１５７（ハンガー或いはフックのような）が固定され、弾性バンド１０３を付加させることができ、弾性延伸でき、フィットネスマシン１００の使用者による使用に供され、グリップ１０９は弾性バンド１０３上に加えられて使用者による握持に供される。
【００１５】
実施例中、フィットネスマシン１００は回転フレーム１０５を含み有酸素運動の支援補助を提供し、たとえば、回転フレーム１０５は二つのサイドロッド１２５と一つのハンドルロッド１１１を有し、フレーム１３３の伸縮ロッド上に回転可能に付加され、サイドロッド１２５は伸縮ロッドの間で回転延伸可能で、ハンドルロッド１１１は締めつけ部品１４７により二つのサイドロッド１２５末端の間において着脱可能に固定される。
【００１６】
回転フレーム１０５は伸縮ロッドに対して回転可能であるか、フィットネスマシン１００は昇降プルバンド１４３を含み、該昇降プルバンド１４３は着脱自在に横ロッド１０１とハンドルロッド１１１の間に連接され、回転フレーム１０５のフレーム１３３に対する回転位置を保持する。
【００１７】
図２は本考案の図１に示されるフィットネスマシンの実施例の立体分解図であり、たとえば、符号２００は図１のフィットネスマシン１００を示す。実施例中、昇降プルバンド１４３は両端の枢接端１４９、１５１がそれぞれ横ロッド１０１とハンドルロッド１１１に固定され、その他の機械構造の運動と組み合わされて、昇降プルバンド１４３が横ロッド１０１或いはハンドルロッド１１１の間で調整可能である。
【００１８】
実施例中、フレーム１３３の伸縮ロッドはベースロッド１２３と延伸ロッド１２１を含み、延伸ロッド１２１は、ロック組立品１４５を介して、調整可能にベースロッド１２３上に縦向きに付加され、一つ或いは複数の挿入溝が延伸ロッド１２１の伸縮長さを制限でき、ロック組立品１４５は延伸制御部材１０７を含みベースロッド１２３と延伸ロッド１２１を固着させ、そのうち一つの挿入溝は伸縮ロッドの全体長さを調節し、延伸ロッド１２１をベースロッド１２３内に縮入させられ、伸縮ロッドの長さを短縮させられる。
【００１９】
実施例中、ベース１３５は頭部１２９と後部１３１の間の結合構造１３９、１４１を含み、頭部１２９は一対の前部ロッドを含み、後部１３１は一対の後部ロッドを含み、頭部１２９の前部ロッドと後部１３１の後部ロッドは縦方向に並列してベース１３５を成し得て、結合構造１３９、１４１により枢接される。
【００２０】
ベース１３５の頭部１２９は一対の前部ロッドの間に固定される一つ或いは複数の跨設ロッドを含み、ベース１３５の後部１３１は一対の後部ロッドの間に跨設される一つ或いは複数の跨設ロッドを含み、結合構造１３９、１４１はそれぞれ頭部１２９の跨設ロッド１５９と後部１３１の跨設ロッド１３７の間にそれぞれ設けられ、跨設ロッド１５９、１３７はベース１３５の近傍位置に配置される。
【００２１】
実施例中、頭部１２９は頭部１２９の跨設ロッド上に固定された前板パッド１１３を含み、後部１３１は後部１３１の跨設ロッド上に固定された後板パッド１１５を含み、前板パッド１１３と後板パッド１１５は直線状に延伸される二つの形態を形成する。
【００２２】
図３Ａ−図３Ｄは、図１のような実施例を順に折り畳むのを説明し、図３Ａの装置３００Ａは、一つのフィットネスマシンとされ（図１のフィットネスマシン１００のごとし）、それは展開された状態から折り畳み或いは収納状態とされる必要があり、弾性バンド１０３と昇降プルバンド１４３はフレーム１３３と回転フレーム１０５上より分離或いは除去可能で、延伸ロッド１２１はベースロッド１２３内に縮入可能で、回転フレーム１０５は回転してフレーム１３３後端に至ることができる。
【００２３】
図３Ｂにおいて、装置３００Ｂはフレーム１３３が回収可能なフィットネスマシンであり、回転フレーム１０５は折り畳まれてフレーム１３３内部空間内に至り、フレーム１３３と回転フレーム１０５は折り畳まれるか回転してベース１３５に対向しフィットネスマシンが折り畳まれる。
【００２４】
図３Ｃにおいて、装置３００Ｃはフレーム１３３を備えたフィットネスマシンであり、回転フレーム１０５とフレーム１３３は平らに折り畳まれ、ベース１３５は装置３００Ｃ中で依然として後部１３１と頭部１２９が折り畳まれていない伸張モードにある。
【００２５】
図３Ｄにおいて、装置３００Ｄは長さと高さが折り畳み後の保存或いは運用に便利とされたフィットネスマシンであり、ベース１３５の後部１３１と頭部１２９は回転し或いは折り畳まれて一体とされ、後部１３１とフレーム１３３が頭部１２９の対向面に置かれ、実施例中、長さが収縮されたフレーム１３３と折り畳まれたベース１３５は装置３００Ｄ中においてフィットネスマシンの保存に有効である。
【００２６】
本考案の多くの修飾と具体化はこの領域の技術者により容易に本考案を理解させられ、これにより本考案は特定の実施例或いは上述の実施例の修飾に限定されず、且つ本文に採用される特定の用語は、ただ記述を容易とするためのものであって、制限を加えるためのものではない。
【符号の説明】
【００２７】
１００  フィットネスマシン
１０１  横ロッド
１０３  弾性バンド
１０５  回転フレーム
１０７  延伸制御部材
１０９  グリップ
１１１  ハンドルロッド
１１３  前板パッド
１１５  後板パッド
１１７  折り畳み制御ピン
１１９  支持片
１２１  延伸ロッド
１２３  ベースロッド
１２５  サイドロッド
１２９  頭部
１３１  後部
１３３  フレーム
１３５  ベース
１３７、１５９  跨設ロッド
１３９、１４１  結合構造
１４３  昇降プルバンド
１４５  ロック組立品
１４７  締めつけ部材
１４９、１５１  枢接端
１５３  頭端
１５５  後端
１５７  掛け孔
２００  フィットネスマシン
３００Ａ、３００Ｂ、３００Ｃ、３００Ｄ  装置
【図１】
0003196374.tif 000003
【図２】
0003196374.tif 000004
【図３Ａ】
0003196374.tif 000005
【図３Ｂ】
0003196374.tif 000006
【図３Ｃ】
0003196374.tif 000007
【図３Ｄ】
0003196374.tif 000008